(57)【要約】【課題】水冷式空気調和装置において、使用者が停止スイッチを押し忘れたとき、冷却水の温度が所定の温度に達するか一定時間が経過するまで給水ポンプは連続的に運転するが、給水ポンプの運転寿命は約３００時間であるため、不要な給水ポンプの運転を繰り返すことによって、給水ポンプの交換サイクルが早くなるという課題を有していた。【解決手段】トイレに着座して使用する人の有無を検知する着座検知部１３と、着座検知部からの出力によって運転を制御する制御部１とを備え、着座の有無を検出して運転を制御することにより、使用者の意図しない給水ポンプの運転時間を低減する。【選択図】図１
2005273383.tif 000002
【特許請求の範囲】
【請求項１】
冷媒を圧縮して循環させる圧縮機と、圧縮された高温高温のガスを冷却水と熱交換して冷却・液化する水冷凝縮器と、液化した高圧の冷媒を低圧にする減圧器と、液状冷媒を蒸発させ低圧の気体にする蒸発器と、蒸発器に送風して気化熱を空気中に対流させる送風機と、前記水冷凝縮器に冷却水を循環させる給水ポンプと、前記水冷凝縮器入り口の冷却水の温度を検知する水温センサーで構成された水冷方式による空調手段と、トイレの便座に人が座っているかどうかを検知する着座検知部と、前記水温センサー，着座検知部等からの信号の基づいて前記圧縮機，送風機，給水ポンプ等を制御する制御部を有する水冷式空気調和装置に於いて、この水冷式空気調和装置の運転中に前記水温センサーおよび着座検知部の出力により、前記給水ポンプの運転の制御を行うことを特徴とする水冷式空気調和装置。
【発明の詳細な説明】
【技術分野】
【０００１】
本発明は、トイレ等に設置される水冷式空気調和装置に用いる給水ポンプの制御方法に関するものである。
【背景技術】
【０００２】
水冷式空気調和装置では、運転状態が続くと冷却水の温度が上昇し、空気調和装置としての能力が減衰するという問題がある。その問題を解決するために、従来、運転状態にあっても、空気調和装置に搭載された冷凍サイクルの高圧部を所定の圧力以下に保つために、冷却水容器内の冷却水の温度を測定し冷却水の温度上昇の値によって判定を行い、ある一定の温度に達すると、運転を停止する制御となっている。また、一定時間ごとに自動的に冷却水を便器側へ排水するものがある。なお、水冷式空気調和装置において、冷却水供給用のポンプ制御に関する従来技術を開示したものは見当たらない。
【特許文献１】特開２０００―４５３５６号公報
【発明の開示】
【発明が解決しようとする課題】
【０００３】
しかしながら、上記従来の制御方法では、使用者が停止スイッチを押し忘れたとき、冷却水の温度が所定の温度に達するまで、もしくは一定時間が経過するまで給水ポンプは連続的に運転されることになる。給水ポンプの運転寿命は約３００時間であるため、不要な給水ポンプの運転を繰り返すことによって、給水ポンプの交換サイクルが早くなるという課題を有していた。
【０００４】
本発明は上記従来の課題を鑑み、トイレ使用者が意図していない給水ポンプの運転時間を少なくし、給水ポンプの交換サイクルの延長を図るとともにエネルギーコストの低減を目的としている。
【課題を解決するための手段】
【０００５】
前記従来の課題を解決するために本発明の水冷式空気調和装置は、水冷方式による空調手段と、トイレを着座して使用する人の有無を検知する着座検知手段と、着座検知手段からの出力によって運転を制御する制御手段とを備える水冷式空気調和装置において、着座の有無を検出して運転を制御することにより、使用者の意図しない給水ポンプの運転を低減し、給水ポンプの交換サイクルの延長を図るとともにエネルギーコストを低減することを可能としている。
【発明の効果】
【０００６】
本発明の水冷式空気調和装置は、着座の有無を検出して運転を制御することにより、使用者の意図しない給水ポンプの運転を低減し、給水ポンプの交換サイクルの延長を図るとともにエネルギーコストを低減することができる。
【発明を実施するための最良の形態】
【０００７】
水冷方式による空調手段と、トイレに着座して使用する人の有無を検知する着座検知手段と、着座検知手段からの出力によって運転を制御する制御手段とを備え、着座の有無を検出して運転を制御することにより、使用者の意図しない給水ポンプの運転を低減し、給水ポンプの交換サイクルの延長を図るとともにエネルギーコストを低減することを可能としている。
【０００８】
以下、本発明の実施の形態について、図面を参照しながら説明する。なお、この実施の
形態によって本発明が限定されるものではない。
【０００９】
（実施の形態１）
図１は、本発明の実施の形態１における水冷式空気調和装置のシステム構成図を示すものである。
【００１０】
水冷式空気調和装置１２は、制御部１と圧縮機２と水冷凝縮器である二重管熱交換器３と減圧器４と送風機５と蒸発器である熱交換器６と給水ポンプ７と冷却水８を溜める冷却水容器９と冷却水を循環させる配管１０と水温センサー１１と着座検知部１３から構成されている。
【００１１】
水冷凝縮器３を冷却する冷却水８は水冷式空気調和装置１２の外部に設けた冷却水容器９内に蓄えられており、その冷却水容器９内に給水ポンプ７が備えられている。冷却水８は給水ポンプ７により矢印の向きに配管１０ａを通り、二重管熱交換器３内で冷媒を冷却した後、暖められた冷却水は配管１０を通り、再び冷却水容器９内へ戻る。
【００１２】
冷凍サイクルにおいては、圧縮機２から吐出された冷媒は、水冷凝縮器３に入り、冷却水８と熱交換した後、減圧器４を介して熱交換器６に入り、空気と熱交換して圧縮機２に戻るというサイクルとなっている。
【００１３】
運転制御について、以下図２の制御フローチャートを用いてその動作、作用を説明する。
【００１４】
まず、使用者により運転スイッチが押された（Ｓ１４）後、送風機５と給水ポンプ７が運転を開始し（Ｓ１５）、その後圧縮機２が運転を開始する（Ｓ１６）。運転後、給水ポンプ７に異常があった場合、給水ポンプ７よりＯＦＦ信号を制御部１に送り（Ｓ１７）、給水ポンプを停止させる。給水ポンプ７が正常なとき、その後着座検知部１３にて着座の有無を検出し（Ｓ２０）、着座を検知しなければ、水冷式空気調和装置１２の運転を停止させ（Ｓ２３）、検知すれば給水ポンプ７の運転は継続される。その後、水温センサー１１によって冷却水の温度を検出し（Ｓ２１）、検出温度が設定の温度より低ければ動作を継続し、高ければ本体の製品保護として水冷式空気調和装置１２の運転をＯＦＦする。水冷式空気調和装置本体の操作スイッチがＯＦＦされれば（Ｓ２２）、全停止を行う（Ｓ２３）。
【００１５】
以上のように本実施の形態において、着座検知部１３を設けることにより、使用者が着座しているかどうかを判定し、使用者が席を離れたときに運転がＯＦＦでなかった場合にも、給水ポンプ７の運転を停止し、使用者の意図しない給水ポンプの運転を低減し、給水ポンプの交換サイクルの延長を図るとともにエネルギーコストを低減することができる。
【産業上の利用可能性】
【００１６】
以上のように、本発明にかかる水冷式空気調和装置の制御方法は、不要にポンプを運転することがなく、連続運転寿命の短いポンプの交換サイクルの延長を図るとともにエネルギーコストを低減することができるため、同種のポンプを用いて水を循環させる他の水冷機器等にも応用することができる。
【図面の簡単な説明】
【００１７】
【図１】本発明の実施の形態１における水冷式空気調和装置のシステム構成図
【図２】本発明の実施の形態１における水冷式空気調和装置の制御フローチャート
【符号の説明】
【００１８】
１  制御部
２  圧縮機
３  二重管熱交換器（水冷凝縮器）
４  減圧器
５  送風機
６  熱交換器（蒸発器）
７  給水ポンプ
８  冷却水
９  冷却水容器
１０，１０ａ  配管
１１  水温センサー
１２  水冷式空気調和装置
１３  着座検知部
【図１】
2005273383.tif 000003
【図２】
2005273383.tif 000004